(57)【要約】【課題】ブログの発信者および発信した記事が客観的に信用されているかどうかを、閲覧者へ示すことができる記事信用度算出装置、記事信用度算出方法、プログラムおよび記録媒体を提供することを目的とする。【解決手段】好意的語句のリストが予め設けられ、このリストに含まれている好意的語句に点数が付与され、ブログ等の記事についてコメントが付され、このコメントに好意的語句が含まれていれば、この好意的語句を抽出し、抽出された好意的語句の点数を加算し、この加算値の最終値を、その記事の信用度とする。【選択図】図１
2009265914.tif 000002
【特許請求の範囲】
【請求項１】
記事ページを構成する記事本文を蓄積する記事本文蓄積手段と；
上記記事本文に付与されているコメントを取得するコメント取得手段と；
上記取得されたコメントから、好意的な語句を抽出する好意的語句抽出手段と；
上記抽出された好意的語句に基づいて、上記記事本文の信用度である記事信用度を算出する記事信用度算出手段と；
を有することを特徴とする記事信用度算出装置。
【請求項２】
請求項１において、
算出した上記記事信用度を、客観的な尺度として読み手に提示する提示手段を有することを特徴とする記事信用度算出装置。
【請求項３】
請求項１において、
上記抽出されたコメントから、悪意的な語句を抽出する悪意的語句抽出手段を有し、
記事信用度算出手段は、上記好意的語句と上記悪意的語句とに基づいて、信用度を算出する手段であることを特徴とする記事信用度算出装置。
【請求項４】
記事ページを構成する記事本文を蓄積する記事本文蓄積手段と；
上記記事本文に付与されているコメントを取得するコメント取得手段と；
上記取得されたコメントから、悪意的な語句を抽出する悪意的語句抽出手段と；
上記抽出された悪意的語句に基づいて、上記記事本文の信用度である記事信用度を算出する記事信用度算出手段と；
を有することを特徴とする記事信用度算出装置。
【請求項５】
記事ページを構成する記事本文を、記憶装置に蓄積する記事本文蓄積工程と；
上記記事本文に付与されているコメントを、コメント取得手段が取得し、記憶装置に記憶するコメント取得工程と；
上記取得されたコメントから、好意的な語句を、好意的語句抽出手段が抽出し、記憶装置に記憶する好意的語句抽出工程と；
上記抽出された好意的語句に基づいて、上記記事本文の信用度である記事信用度を、記事信用度算出手段が算出し、記憶手段に記憶する記事信用度算出工程と；
を有することを特徴とする記事信用度算出方法。
【請求項６】
請求項５において、
算出した上記記事信用度を、提示手段によって、客観的な尺度として読み手に提示する提示工程を有することを特徴とする記事信用度算出方法。
【請求項７】
請求項５において、
上記抽出されたコメントから、悪意的な語句を、悪意的語句抽出手段が抽出し、記憶手段に記憶する悪意的語句抽出工程を有し、
記事信用度算出工程は、上記好意的語句と上記悪意的語句とに基づいて、信用度を算出する工程であることを特徴とする記事信用度算出方法。
【請求項８】
記事ページを構成する記事本文を、記憶装置が蓄積する記事本文蓄積工程と；
上記記事本文に付与されているコメントを、コメント取得手段が取得し、記憶装置に記憶するコメント取得工程と；
上記取得されたコメントから、悪意的語句抽出手段が、悪意的な語句を抽出し、記憶装置に記憶する悪意的語句抽出工程と；
上記抽出された悪意的語句に基づいて、記事信用度算出手段が、上記記事本文の信用度である記事信用度を算出し、記憶手段に記憶する記事信用度算出工程と；
を有することを特徴とする記事信用度算出方法。
【請求項９】
請求項１〜請求項４のいずれか１項に記載の記事信用度算出装置を構成する各手段としてコンピュータを機能させるプログラム。
【請求項１０】
請求項９記載のプログラムを記録したコンピュータ読取可能な記録媒体。
【発明の詳細な説明】
【技術分野】
【０００１】
本発明は、記事信用度算出装置、記事信用度算出方法、プログラムおよび記録媒体に係り、特に、個人が発信する記事の信用度を算出する記事信用度算出装置、記事信用度算出方法、プログラムおよび記録媒体に関する。
【背景技術】
【０００２】
ブログサービスやソーシャルネットワーキングサービスの普及によって、誰でも容易に情報発信を行うことができ、発信される記事には、日々の日常生活についての記事等が多い。また、発信された記事に対して閲覧者がコメントを付与することによって、発信者との交流を持つことができる。
【０００３】
従来、ブログコミュニティを対象に、コメント、トラックバックの回数を集計し、情報発信者にブログコミュニティ内における貢献度を付与する技術が知られている（たとえば、特許文献１参照）。この従来例は、記事の内容とは関係なく、閲覧者からコメントやトラックバックを多く受信しているほど、貢献度が高いと判断する技術である。
【特許文献１】特開２００７−１０２５０２号公報
【発明の開示】
【発明が解決しようとする課題】
【０００４】
しかし、コメントの中には、好意的なものばかりではなく、悪意的なものや広告目的のものもある。
【０００５】
上記従来例は、集計されたコメントやトラックバックの回数に応じて貢献度を付与するので、ブログサービスの世界では、悪意的なものや広告目的のものも、貢献度が高いと判断されるという問題がある。
【０００６】
つまり、上記従来例は、ブログの発信者および発信した記事が客観的に信用されているかどうかを、閲覧者へ示すことができないという問題がある。
【０００７】
本発明は、ブログの発信者および発信した記事が客観的に信用されているかどうかを、閲覧者へ示すことができる記事信用度算出装置、記事信用度算出方法、プログラムおよび記録媒体を提供することを目的とする。
【課題を解決するための手段】
【０００８】
本発明は、好意的語句のリストがあり、点数が付与され、ブログ等の記事に、コメントを対象に好意的語句が出現すると、その点数が加算され、この加算値の最終値を、その記事の信用度とする。
【発明の効果】
【０００９】
本発明によれば、ブログの発信者および発信した記事が客観的に信用されているかどうかを、閲覧者へ示すことができるという効果を奏する。
【発明を実施するための最良の形態】
【００１０】
発明を実施するための最良の形態は、次の実施例である。
【実施例１】
【００１１】
図１は、本発明の実施例１である記事信用度算出装置１００を示す図である。
【００１２】
図２は、実施例１において記事信用度を算出する対象である記事ページＰ１の構成例を示す図である。
【００１３】
記事ページＰ１は、記事本文Ａ１と、コメントＣ１、Ｃ２、Ｃ３とを有する。コメントＣ１、Ｃ２、Ｃ３から、好意度を抽出することによって、記事ページＰ１の信用度を算出する。
【００１４】
上記実施例は、コメントＣ１、Ｃ２、Ｃ３のうちで、好意的な内容が多いほど、そのブログの発信者またはそのブログの記事の信用度が高いというヒューリスティクスを利用した実施例である。
【００１５】
記事信用度算出装置１００は、記事本文・コメント蓄積手段１０と、コメント取得手段２０と、好意的語句抽出手段３０と、記事信用度算出手段４０と、記事信用度表示手段５０とを有する。
【００１６】
記事本文・コメント蓄積手段１０は、記事ページＰ１とコメントＣ１、Ｃ２、Ｃ３とを、記事ＩＤに対応付けて、記憶装置に記事本文Ａ１を蓄積している。上記記事ＩＤは、たとえば記事ページＰ１のＵＲＬであり、一意に区別することができるＩＤである。つまり、記事本文・コメント蓄積手段１０は、記事ページを構成する記事本文を蓄積する記事本文蓄積手段の例である。
【００１７】
コメント取得手段２０は、記事本文・コメント蓄積手段１０から、記事ＩＤ毎に対応付けられているコメントＣ１、Ｃ２、Ｃ３集合を取得し、記憶装置に記憶し、好意的語句抽出手段３０に渡す。つまり、コメント取得手段２０は、記事本文に付与されているコメントを取得するコメント取得手段の例である。
【００１８】
好意的語句抽出手段３０は、コメントＣ１、Ｃ２、Ｃ３から、好意的語句を抽出し、記憶手段に記憶する手段である。また、好意的語句抽出手段３０は、好意的語句を集めた好意的語句辞書を有し、この好意的語句辞書は、記憶装置に格納されているデータベースである。つまり、好意的語句抽出手段３０は、取得されたコメントから、好意的な語句を抽出する好意的語句抽出手段の例である。
【００１９】
記事信用度算出手段４０は、好意的語句抽出手段３０が抽出した好意的語句を、一定の法則に基づいて、信用度として算出し、記憶手段に記憶する手段である。上記一定の法則の法則は、たとえば後述する式（１）である。つまり、記事信用度算出手段４０は、抽出された好意的語句に基づいて、記事本文の信用度である記事信用度を算出する記事信用度算出手段の例である。
【００２０】
記事信用度表示手段５０は、記事信用度算出手段４０が算出した値を、記事本文・コメント蓄積手段１０に蓄積されている記事の記事ＩＤに併記して表示する手段であり、ディスプレイがその具体例である。記事信用度表示手段５０は、算出した記事信用度を、客観的な尺度として読み手に提示する提示手段の例である。この提示手段は、算出した記事信用度をプリントするプリンタであってもよい。
【００２１】
次に、上記実施例の動作について説明する。
【００２２】
図３は、記事信用度算出装置１００の動作を示すフローチャートである。
【００２３】
まず、Ｓ１で、記事本文Ａ１を取得し、Ｓ２で、記事本文Ａ１に対応するコメントＣ１、Ｃ２、Ｃ３を取得し、記憶装置に記憶する。Ｓ３で、コメントＣ１、Ｃ２、Ｃ３から、好意的語句を抽出し、記憶装置に記憶する。
【００２４】
図４は、実施例１において使用する好意的語句辞書の例を示す図である。
【００２５】
好意的語句を抽出する場合、コメントＣ１、Ｃ２、Ｃ３のそれぞれと、好意的語句辞書に記載されている好意的語句とを比較し、一致した好意的語句を抽出する。上記好意的語句辞書は、記憶装置に記憶されているデータベースであり、好意的語句抽出手段３０に設けられている。
【００２６】
Ｓ４で、抽出した好意的語句に基づいて、記事の信用度を求め、記憶装置に記憶する。
【００２７】
次に、記事の信用度の計算の例について説明する。
【００２８】
記事の信用度を、次の式（１）によって、計算する。
【００２９】
【数１】
2009265914.tif 000003
【００３０】
図５は、実施例１における画面表示の例を示す図である。
【００３１】
図５に示す画面表示例は、記事ページＰ２を表示している例である。記事ページＰ２は、記事本文Ａ２と、コメントＣ１、Ｃ２とが表示されている。記事本文Ａ２には、記事本文の他に、「この記事の信用度６０％」が表示され、表示されている記事本文についての信用度が併記されている。なお、上記式（１）による計算結果が０．６であるから、信用度が６０％であるとする。
【実施例２】
【００３２】
本発明の実施例１は、コメントに好意的語句が含まれていると、信用度の重み付けを上げる実施例であるが、本発明の実施例２は、好意的語句の反対にあたる悪意的語句が、コメントに含まれていると、記事の信用度の重み付けを下げる実施例である。
【００３３】
図６は、本発明の実施例２である記事信用度算出装置２００を示すブロック図である。
【００３４】
記事信用度算出装置２００は、記事本文・コメント蓄積手段１０と、コメント取得手段２０と、好意的語句抽出手段３０と、悪意的語句抽出手段３１と、記事信用度算出手段４１と、記事信用度表示手段５０とを有する。
【００３５】
図６において、図１に示す要素と同じ要素には、同一の符号を付してある。
【００３６】
悪意的語句抽出手段３１は、コメントＣ１、Ｃ２、Ｃ３から、悪意的語句を抽出する手段である。また、悪意的語句抽出手段３１は、悪意的語句を集めた悪意的語句辞書を有し、この悪意的語句辞書は、記憶装置に記憶されているデータベースであり、悪意的語句抽出手段３１に設けられている。つまり、悪意的語句抽出手段３１は、抽出されたコメントから、悪意的な語句を抽出する悪意的語句抽出手段の例である。
【００３７】
記事信用度算出手段４１は、好意的語句抽出手段３０が抽出した好意的語句と、悪意的語句抽出手段３１が抽出した悪意的語句とを、一定の法則に基づいて、信用度として算出し、記憶装置に記憶する手段である。上記一定の法則の法則は、たとえば、後述する式（２）である。つまり、記事信用度算出手段４１は、好意的語句と悪意的語句とに基づいて、信用度を算出する手段の例である。
【００３８】
記事信用度表示手段５１は、記事信用度算出手段４１が算出した値を、記事本文・コメント蓄積手段１０に蓄積されている記事の記事ＩＤに併記して表示する手段であり、ディスプレイがその具体例である。記事信用度表示手段５１は、算出した記事信用度を、客観的な尺度として読み手に提示する提示手段の例である。この提示手段は、算出した記事信用度をプリントするプリンタであってもよい。
【００３９】
次に、悪意的語句が使われている場合、信用度の重み付けを下げる例について説明する。
【００４０】
記事の信用度を、次の式（２）によって、計算する。
【００４１】
【数２】
2009265914.tif 000004
【００４２】
また、好意的語句を利用せずに、悪意的語句のみを利用することによって、記事の信用度を算出するようにしてもよい。つまり、記事ページを構成する記事本文を蓄積する記事本文蓄積手段と、上記記事本文に付与されているコメントを取得するコメント取得手段と、上記取得されたコメントから、悪意的な語句を抽出する悪意的語句抽出手段と、上記抽出された悪意的語句に基づいて、上記記事本文の信用度である記事信用度を算出する記事信用度算出手段とによって、記事信用度算出装置を構成するようにしてもよい。
【００４３】
なお、記事信用度算出装置１００、２００、悪意的語句のみを利用した記事信用度算出装置を構成する上記各手段をプログラムとして構築し、記事信用度算出装置として利用されるコンピュータにインストールして実行するようにしてもよい。または、ネットワークを介して、上記プログラムを流通させるようにしてもよい。
【００４４】
つまり、記事信用度算出装置１００を構成する各手段としてコンピュータを機能させるプログラムを想定するようにしてもよい。また、記事信用度算出装置２００を構成する各手段としてコンピュータを機能させるプログラムを想定するようにしてもよい。そして、悪意的語句のみを利用した記事信用度算出装置を構成する各手段としてコンピュータを機能させるプログラムを想定するようにしてもよい。
【００４５】
さらに、構築された上記プログラムをハードディスクやフレキシブルディスク、ＣＤ−ＲＯＭ等の記憶媒体に蓄積し、コンピュータにインストールするようにしてもよく、また、配布するようにしてもよい。
【００４６】
つまり、上記プログラムを記録したコンピュータ読取可能な記録媒体を想定するようにしてもよい。
【産業上の利用可能性】
【００４７】
上記実施例によれば、記事ページに記載されているコメントの好意度（好意的語句）または悪意度（悪意的語句）を算出することによって、その記事が読み手に信頼されているかどうかを判別し、これによって、記事の信用度を抽出することができる。
【図面の簡単な説明】
【００４８】
【図１】本発明の実施例１である記事信用度算出装置１００を示す図である。
【図２】実施例１において記事信用度を算出する対象である記事ページＰ１の構成例を示す図である。
【図３】記事信用度算出装置１００の動作を示すフローチャートである。
【図４】実施例１において使用する好意的語句辞書の例を示す図である。
【図５】実施例１における画面表示の例を示す図である。
【図６】本発明の実施例２である記事信用度算出装置２００を示すブロック図である。
【符号の説明】
【００４９】
１００…記事信用度算出装置、
１０…記事本文・コメント蓄積手段、
２０…コメント取得手段、
３０…好意的語句抽出手段、
４０…記事信用度算出手段、
５０…記事信用度表示手段、
２００…記事信用度算出装置、
３１…悪意的語句抽出手段、
４１…記事信用度算出手段、
５１…記事信用度表示手段。
【図１】
2009265914.tif 000005
【図２】
2009265914.tif 000006
【図３】
2009265914.tif 000007
【図４】
2009265914.tif 000008
【図５】
2009265914.tif 000009
【図６】
2009265914.tif 000010